【手続補正書】
【提出日】平成25年2月1日(2013.2.1)
【手続補正１】
【補正対象書類名】明細書
【補正対象項目名】００１９
【補正方法】変更
【補正の内容】
【００１９】
【図１】本発明にかかる物品選別機の第１の実施形態を示す正面斜視図である。
【図２】本発明にかかる物品選別機の第１の実施形態を示す背面斜視図である。
【図３】図１における選別ベルトを斜め上方から見た状態を示す斜視図である。
【図４】図２における選別ベルトおよび押出ローラの駆動機構を示す図である。
【図５】図１における選別ベルトの掛架状態を示す模式図である。
【図６】図１における選別ベルトおよび押出ローラの位置関係および動作を示す模式図である。
【図７】図１における選別ベルトおよび押出ローラの位置関係を示す斜視図である。
【図８】図４における駆動機構を上方から見た状態を示す図である。
【図９】本発明にかかる物品選別機の第２の実施形態を示す模式図である。
【手続補正２】
【補正対象書類名】明細書
【補正対象項目名】００２１
【補正方法】変更
【補正の内容】
【００２１】
（第１の実施形態）
第１の実施形態は、選別孔を穿設した無端状の選別ベルトを選別部材に使用した場合を示すものである。
図１は本発明にかかる物品選別機の第１の実施形態を示す正面斜視図であり、図２は本発明にかかる物品選別機の第１の実施形態を示す背面斜視図であり、図３は図１における選別ベルトを斜め上方から見た状態を示す斜視図であり、図４は図２における選別ベルトおよび押出ローラの駆動機構を示す図であり、図５は図１における選別ベルトの掛架状態を示す模式図であり、図６は図１における選別ベルトおよび押出ローラの位置関係および動作を示す模式図であり、図７は図１における選別ベルトおよび押出ローラの位置関係を示す斜視図であり、図８は図４における駆動機構を上方から見た状態を示す図である。
【手続補正３】
【補正対象書類名】明細書
【補正対象項目名】００３０
【補正方法】変更
【補正の内容】
【００３０】
（押出ローラ）
押出ローラ４は、図１、図３、図６、図７に示すように選別ベルト３の内側であって、かつ選別ベルト３の通過側の内面から離間した状態で配置され、さらに選別ベルト３の走行速度よりも速い速度で回転する構造となっている。このような構造を有することによって、被選別物９が選別孔２にはまり込んでしまった場合においても、従来に比べて被選別物９を選別孔２から選別ベルト３上に有効に押し出すことができ、その結果選別ベルト３への被選別物９の巻き込みを従来に比べて飛躍的に防止することができるのである。
【手続補正４】
【補正対象書類名】明細書
【補正対象項目名】００３５
【補正方法】変更
【補正の内容】
【００３５】
また、第１の実施形態にかかる物品選別機１ａは、図４または図８に示す通り押出ローラ４を回転させる駆動機構（ベルト１５およびモータ１６）が駆動ローラを回転させる駆動機構（ベルト１２およびモータ１３）と連結することなく独立した機構となっていることで、押出ローラ４の回転速度を選別ベルト３の走行速度よりも速く回転させることを実現しているが、押出ローラ４の回転速度を選別ベルト３の走行速度よりも速く回転させることができれば上記機構に限定されることなく、各種の駆動機構を採用することができる。
【手続補正５】
【補正対象書類名】明細書
【補正対象項目名】００４６
【補正方法】変更
【補正の内容】
【００４６】
（第２の実施形態）
次に、本発明にかかる物品選別機の第２の実施形態を説明する。第２の実施形態は選別孔を穿設した円筒状の選別ドラムを選別部材に使用した場合を示すものである。図９は本発明にかかる物品選別機の第２の実施形態を示す模式図である。
【手続補正６】
【補正対象書類名】明細書
【補正対象項目名】００４７
【補正方法】変更
【補正の内容】
【００４７】
最初に図９に基づいて、本発明の第２の実施形態にかかる物品選別機１ｂの基本的な構成について説明する。
まず、第２の実施形態にかかる物品選別機１ｂは、選別孔２を穿設した円筒状の選別ドラム１７、押出ローラ４、駆動ローラ５、補助ローラ６、回収シュート７、傾斜板１８を主要部品としたユニット１９を連続配置することによって構成されている。
なお、本実施形態の物品選別機１ｂについても、本発明の最も重要な構成要件である押出ローラを備えている点は第１の実施形態と同様である。
【手続補正７】
【補正対象書類名】明細書
【補正対象項目名】００４９
【補正方法】変更
【補正の内容】
【００４９】
（選別ドラム）
選別ドラム１７は、図９に示すようにフレーム２０に設置された駆動ローラ５および補助ローラ６上に、回転自在となるように載置されている。さらに駆動ローラ５はベルト１２によってモータ１３と連結され、モータ１３が稼働されることによって駆動ローラ５が回転し、選別ドラム１７が回転する構造となっている。
【手続補正８】
【補正対象書類名】明細書
【補正対象項目名】００５１
【補正方法】変更
【補正の内容】
【００５１】
なお、図９に示す第２の実施形態にかかる物品選別機１ｂは、各ユニットを被選別物の搬送方向に向かって順次下がっていくように配置しているがこれに限定されることはなく、被選別物の種類や選別する速度などによって勾配を特段設ける必要がない場合にはかかる勾配を設けないこともできる。
【手続補正９】
【補正対象書類名】明細書
【補正対象項目名】００５３
【補正方法】変更
【補正の内容】
【００５３】
（押出ローラ）
押出ローラ４は、図９に示すように選別ドラム１７の内側であって、かつ選別ドラム１７の通過側の内面から離間した状態で配置され、さらに選別ドラム１７の回転速度よりも速い速度で回転する構造となっている。
【手続補正１０】
【補正対象書類名】明細書
【補正対象項目名】００５７
【補正方法】変更
【補正の内容】
【００５７】
ここで、第２の実施形態にかかる物品選別機１ｂは、図９に示すように押出ローラの回転軸が選別ドラム３の回転方向に略直交するように配置されているが、これに限定されるものではなく、選別ドラム１７の回転方向と交差するように配置されていれば、押出ローラ４を選別ドラム１７の回転方向に対して斜めに横断するように設けることもできる。
但し、押出ローラ４を選別ドラム１７の最上部よりも回転方向の上流側（図９のａの領域）に配置してしまうと、本来であれば選別孔２を通過するような被選別物９についても選別孔２を通過する前に被選別物９を選別孔２から押出してしまうことが発生する恐れがある。また、選別ドラム１７の面積をできるだけ広く使って選別を行うという観点も考慮すると、押出ローラ４は選別ドラム１７の最上部よりも回転方向の下流側（図９のｂ〜ｄの領域）に配置されていることが好ましい。
具体的には、図９の選別ドラム１７ａおよび１７ｂにおいては、傾斜板が図９のｂの領域に配置されていることから、押出ローラ４が配置される位置も傾斜板１８の前であるｂの領域になってくるが、図９の選別ドラム１７ｃのように駆動ローラ５、補助ローラ６、傾斜板１８などがｂまたはｃの領域にない場合には、押出ローラ４は選別ドラム１７ｃの最上部よりも回転方向の下流側、すなわちｂ〜ｄのどの領域にも配置することができる。
【手続補正１１】
【補正対象書類名】明細書
【補正対象項目名】００６０
【補正方法】変更
【補正の内容】
【００６０】
まず、モータ１３によって駆動ローラ５を回転させることによって選別ドラム１７をＢの方向に駆動させ、その後被選別物を傾斜板１８ａから選別ドラム１７ａ上に供給する。そうすると、選別ドラム１７ａの回転にともに被選別物９が選別ドラム１７ａ上に拡がり、図９に示すように選別孔２ａよりも小さい被選別物９ａが選別孔２ａを通過して、選別ドラム１７ａの内側に設けられた回収シュート７ａに落下し、バケット（図示せず）に回収される。
【手続補正１２】
【補正対象書類名】明細書
【補正対象項目名】００６１
【補正方法】変更
【補正の内容】
【００６１】
次に、図９に示すように、選別孔２ａよりも大きい被選別物９ｂや選別孔２ａを通過せずに選別孔２ａ内にはまり込こんでしまった被選別物９ｃは、選別ドラム１７ａ上や選別孔２ａ内にはまり込こんだ状態で選別ドラム１７ａの走行に伴ってＢの方向に流れていく。
そして、選別孔２ａ内にはまり込こんだ状態の被選別物９ｃは、選別ドラム１７ａの最上部よりも回転方向の下流側に配置された押出ローラ４と接触することになる。ここで、押出ローラ４は上記した通り選別ドラム１７の走行速度よりも速い速度で回転していることから、被選別物９ｃには上方への強い力が加えられることになり、その結果、選別孔２ａ内にはまり込こんでいた被選別物９ｃは選別孔２ａ内から選別ドラム１７ａ上へと押し出され、選別ドラムへの被選別物の巻き込みが防止されるのである。
【手続補正１３】
【補正対象書類名】図面
【補正対象項目名】図６
【補正方法】変更
【補正の内容】
【図６】
2012152756.tif 000001
【手続補正１４】
【補正対象書類名】図面
【補正対象項目名】図７
【補正方法】変更
【補正の内容】
【図７】
2012152756.tif 000002
【手続補正１５】
【補正対象書類名】図面
【補正対象項目名】図８
【補正方法】変更
【補正の内容】
【図８】
2012152756.tif 000003
【手続補正１６】
【補正対象書類名】図面
【補正対象項目名】図９
【補正方法】追加
【補正の内容】
【図９】
2012152756.tif 000004